(57)【特許請求の範囲】
【請求項１】
送風ファンと前記送風ファンを収納する筐体と前記筐体に空気を吸い込む吸込口と吸い込んだ空気を送出する吹出口とを有する携帯型送風装置において、
前記吸込口と前記吹出口は前記筐体の厚さ方向の中心線の両端方向にそれぞれ位置し、
前記筐体の厚さ方向の一方の面を他の物体に接する設置面とした場合に、
前記吹出口は前記設置面から見て前記筐体の厚さ方向の中心線よりも遠い位置に配されており、
前記設置面の前記吹出口近傍に前記携帯型送風装置を携行するためのストラップを係止する取付け部を設け、
前記取付け部は前記厚さ方向の中心線を挟んで前記吹出口の中心と反対側に位置することを特徴とする携帯型送風装置。
【発明の詳細な説明】
【技術分野】
【０００１】
本発明は、携帯可能な筐体内に送風ファンを備えた携帯型送風装置に関する。
【背景技術】
【０００２】
従来の携帯型送風装置は特許文献１に開示されている。この携帯型送風装置は携帯可能な薄箱状の筐体の背面に吸込口を開口し、前面に吹出口を開口する。筐体内には吸込口と吹出口とを連結する空気通路が設けられ、空気通路内に軸流ファンから成る送風ファンが配される。また、筐体の側面には回動自在のスタンドが設けられる。スタンドを回動して卓上の設置面に当接させると、スタンドの支持によって筐体を卓上に立設することができる。
【０００３】
スタンドにより筐体を卓上の設置面に立設した状態で送風ファンを駆動すると、吸込口から外気が空気通路内に流入する。この時、筐体の背面が設置面に対向して傾斜して配され、前面の吹出口から使用者の頭部等に向けて斜め上方に空気流が送出される。これにより、屋外や屋内で手軽に涼しさを得ることができる。
【先行技術文献】
【特許文献】
【０００４】
【特許文献１】特開２００８−５７５１９号公報
【発明の概要】
【発明が解決しようとする課題】
【０００５】
しかしながら、上記従来の携帯型送風装置によると、送風ファンが露出しているため回転部分に異物が入り、使用者に危険であるとともに装置を損傷する恐れがあった。また、卓上に設置する場合は問題がないが、首から吊るして使用すると送風機の吸込口もしくは吹出口を塞いでしまうという問題があった。さらに送風ファンが外部から直接見えるため外観上美しくないという問題があった。
【課題を解決するための手段】
【０００６】
上記課題を解決するために本発明は、送風ファンと前記送風ファンを収納する筐体と前記筐体に空気を吸い込む吸込口と吸い込んだ空気を送出する吹出口とを有する携帯型送風装置において、前記吸込口と前記吹出口は前記筐体の厚さ方向の中心線の両端方向にそれぞれ位置し、前記筐体の厚さ方向の一方の面を他の物体に接する設置面とした場合に、前記吹出口は前記設置面から見て前記筐体の厚さ方向の中心線よりも遠い位置に配されており、前記設置面の前記吹出口近傍に前記携帯型送風装置を携行するためのストラップを係止する取付け部を設け、前記取付け部は前記厚さ方向の中心線を挟んで前記吹出口の中心と反対側に位置する構成とする。
【０００７】
また、送風性能を確保するために吸込口は筺体の凹部に設けて衣服などで塞がれないようにした。同様に吹出口も人と接する面の逆の面に形成して塞がれないように配置を工夫した。
【０００８】
ここで、上記筺体は、外観を滑らかな曲線で形成し、概ね直方体と成すとともに、外部から直接見えない本体下部に吸込口を設け、本体上面に吹出口を設ける構成することができる。これにより、外観上美しくできる。
【発明の効果】
【０００９】
本発明によれば、吸込口や吹出口の位置を使用形態にも影響されない構造としたので、卓上設置使用時も首からの吊り下げ使用時も送風性能を十分に発揮できる。
【００１０】
また、外観部分を滑らかな曲線を持つケースで覆い、送風ファンを内部に収納したので外観上の美観が達成される。
【図面の簡単な説明】
【００１１】
【図１】本発明の携帯型送風装置を正面から見た外観図。
【図２】本発明の携帯型送風装置を背面から見た外観図。
【図３】本発明の携帯型送風装置を上面から見た外観図。
【図４】本発明の携帯型送風装置の背面の蓋、およびイオン発生装置と電池を外した構造図。
【図５】本発明の携帯型送風装置の前面ケースと送風ファンを外した構造図。
【図６】図１のＡ−Ａ線で切断した本発明の携帯型送風装置の内部構造を示す断面図。
【図７】本発明に使用するイオン発生装置の外観模式図。
【図８】本発明に使用する電池の外観模式図。
【図９】本発明に使用する送風ファンの外観模式図。
【図１０】本発明の制御基板の外観模式図。
【図１１】本発明の仕切りパネルの外観模式図。
【図１２】本発明の携帯型送風装置の使用状態を示す模式図。
【発明を実施するための形態】
【００１２】
以下に本発明の実施形態を図１から図３を参照して説明する。図１は本実施形態の携帯型送風装置を示す正面図である。携帯型送風装置１は、一例として縦１００ｍｍ×横８０ｍｍ×厚さ３０ｍｍ程度の携帯可能な大きさに形成された正面視がほぼ矩形の薄箱状の筐体２を備えている。図において、後で詳細を説明する吹出口７は筺体２の上端部、吸込口６は、図1の状態では隠れているが下端部に設けられる。この吸込口６は、図２に示すように背面側の下部に設けられている。
【００１３】
また、筐体２を構成する前面ケース２ａには、表示部４が設けられる。表示部４はＬＥＤ等の表示手段を用いて携帯型送風装置１の運転情報を表示する。また、ＬＥＤや液晶等の表示手段を用いて装置の運転状況、運転時間、累積運転時間や電池の残量表示をすることも好ましい。
【００１４】
次に図２は、携帯型送風装置１を背面から見た図であり、脚３を閉じた状態を示している。前面ケース２ａに対向する背面ケース２ｂは、前面ケース２aと勘合して外観部を成す筺体２を構成する。この背面ケース２ｂの中央部には蓋２ｇがあり、該蓋２ｇを背面ケース２ｂより取外すことで、内蔵するイオン発生装置１８および電池１９を交換可能に覆っている。
【００１５】
脚３は吹出口７と吸込口６とを結ぶ方向を長手方向とする本体中央部で筐体２の両側面部に枢支された概ねコの字型の棒材で、筐体２の背面ケース２ｂに溝状の凹部として形成した収納部２ｆを設けて収納される。脚３は不使用時には、上下方向の下部に収納されている。筐体２の上下方向のほぼ中央左右に脚３の回動軸を設けたことで、脚３は収納状態から見て１８０°未満の角度で回動することが可能である。脚３は複数の開き角度で保持することが可能であり、脚３を開いた状態で脚３の支持によって筐体２を卓上の設置面に立設して携帯送風装置１を設置することができる。従って、脚３は携帯送風装置１を卓上の設置面に設置する際に筐体２を支持する支持部を構成する。
【００１６】
筐体２の下部であって背面ケース２bの下端には、脚収納部２ｆが背面ケース２ｂの横幅方向に連続しており、収納部２ｆと一体として連続するように外気の吸込口６を形成する。吸込口６には塵埃の吸込みを防ぐネットが貼付けされる。吸込口６は脚３を開いた場合も収納した場合も背面ケース２ｂ側の外部から常に見える状態であり、脚３の開閉に影響されずに外気を吸い込むことが出来る。
【００１７】
筐体２を構成する前面ケース２a、背面ケース２ｂは上下方向および左右方向にわたって曲面で形成されており、通常の筐体の稜線に当たる部分には大きな半径を持つ曲面が与えられている。従って、携帯型送風装置１は通常の直方体を成す筐体のように明確な稜線を持たない。この構成により、筐体２は中央部の厚み方向が大きく膨らんだ形状を成している。
【００１８】
図３は携帯型送風装置１の上面から見た図であり、前面ケース２ａ及び背面ケース２ｂが形成する外観部の上面に吹出口７が開口する。開口には吹き出し格子２ｄが設けられ、その開口部である吹出口７の中心は前面ケース２aの方向に大きく偏って形成される。前面ケース２ａと背面ケース２ｂは、筐体２の厚さ方向の中心線で合わせられ、各々のふくらみ高さは一例として約１５ｍｍである。従って、吹出口７の中心は厚さ方向の中心線よりも前面側になる。
【００１９】
上記筐体２は、半径の大きな曲面で形成されること、および吹出口７が前面ケース２ａ側に偏っていることによって、後に説明する脚を使用せずに携帯型送風装置１を机上等に直接置いた場合や、首から吊るして使用した場合に、机や人体等との接触面と吹出口７中心部との間に距離Ｌ（図１２参照）が確保され、気流の送出が良好になされる。
【００２０】
図１において携帯型送風装置１の右側面２ｃには、電源スイッチ５が設けられる。電源スイッチ５を［ＯＮ］の位置にすると、送風ファン１７、イオン発生装置１８に通電され運転が開始される。表示部４には運転表示がされるとともに、イオン発生装置のイオン発生状況、電池の残量状況、等の運転情報が表示される。
【００２１】
図４は携帯型送風装置１を背面から見た外観斜視図で、背面の蓋２ｇ、イオン発生装置１８および電池１９を外した状態である。背面ケース２ｂは、蓋２ｇが着脱可能に設けられており、この蓋２ｇと対応する内部は、前面ケース２ａ側に凹んでおり、吹出口７近くにイオン発生装置１８を収納する隔離室２２ｂ、その隣に電池１９を収納する隔離室２２ｃが形成されている。イオン発生装置１８を収納する隔離室２２ｂの背面ケース２b底壁には、イオン発生装置が発生したイオンを放出する穴２２１a、２２１ｂが設けられている。イオン放出穴２２１ａ、２２１ｂには図７に示すイオン発生装置１８のイオン放出部１８ａ、１８ｂと各々対応するようにイオン発生装置１８が嵌め込まれる。隔離室２２ｂの背面ケース２b底壁は、後に説明する空気通路８の一部を構成する。
【００２２】
上記隔離室２２ｂと２２ｃには、それぞれの端子部１５aが各々露出しており、図７に示すイオン発生装置１８の端子部１８ｄが、隔離室２２ｂ側に露出した端子部１５ａと接触する。また、図８に示す電池１９の本体部１９a側面にある端子１９ｂが、隔離室２２cに露出した端子部１５aと接触して制御基板１５に給電する。
【００２３】
図５は前面ケース２aと送風ファン１７および仕切りパネル２２（図６に図示している）を取り外した背面ケース２ｂ底壁の内部側の構造を示す図である。背面ケース２ｂに設けた隔離室２２ｂの底壁には空気通路８側の面に板状の気流ガイド２２１ｃが筐体内側に向かって３枚設置される。この気流ガイド２２１ｃは送風ファン１７がターボファンであるために噴出し気流Ａ２（図６参照）が紙面の右上方向に偏ることを修正する効果がある。気流の送出方向に対して気流ガイド２２１ｃの傾きが交差するように構成されている。また、図５には、吹出口７の内側にシャッター７aが示してある。シャッター７aは電源スイッチ５と連動して吹出口７の開閉を行う。
【００２４】
図６は図１中の中心線Ａ−Ａで切断した携帯型送風装置１の内部構造を示す断面図である。背面ケース２ｂに設けられる隔離室２２ｂと２２ｃの内側になる部分に携帯型送風装置１の制御回路を実装した制御基板１５が取り付けられている。図４にも示すように各々の隔離室２２ｂ、２２ｃに切欠き部が設けられており、制御基板１５に設けた端子部１５aが各々の切欠き部に嵌め込まれる。イオン発生装置１８を収納する隔離室２２ｂには２個の端子部１５ａ、電池１９を収納する隔離室２２ｃには１個の端子部１５ａが各々接続可能な位置に設置される。隔離室２２ｂ、２２ｃにそれぞれ収納されるイオン発生装置１８及び電池１９は端子部１５ａを介して制御基板１５に接続される。制御基板１５の形状を模式図として図１０に示す。制御基板１５は両面に部品が実装されており、背面ケース２ｂと対向する面に端子部１５ａが実装される。
【００２５】
続いて図７に本発明に使用するイオン発生装置１８の外観模式図を示す。隔離室２２ｂに配されるイオン発生装置１８は空気通路８に臨む複数のイオン放出部１８a,１８ｂを有している。各々のイオン放出部には対向電極１８１と針状の放電電極１８２が各々設けられる。イオン発生装置１８の本体部分１８ｃには高圧電気発生回路が内蔵されており、側面に設けられた端子１８ｄより端子部１５ａを介して電池１９から電力供給を受けて作動する。
【００２６】
高圧電気発生回路により放電電極には交流波形またはインパルス波形から成る高電圧が印加される。前述のようにイオン発生装置１８は複数の放電電極を持ち、一の電極には正電圧が印加され、電離により発生するイオンが空気中の水分と結合して主としてＨ+（Ｈ2Ｏ）ｍから成る正のクラスタイオンが形成される。他の電極には負電圧が印加され、電離により発生するイオンが空気中の水分と結合して主としてＯ2-（Ｈ2Ｏ）ｎから成る負のクラスタイオンが形成される。ここで、ｍ、ｎは任意の自然数である。
【００２７】
正イオンＨ+（Ｈ2Ｏ）ｍ及び負イオンＯ2-（Ｈ2Ｏ）ｎは空気中の同時に送出されることによって空気中の浮遊菌や臭い成分の表面で凝集してこれらを取り囲む。そして、式（１）〜（３）に示すように、活性種である［・ＯＨ］（水酸基ラジカル）やＨ2Ｏ2（過酸化水素）を浮遊菌や臭い成分等の表面上で生成してこれらを破壊する。
【００２８】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ   ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ                 ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ                   ・・・（３）
上記式において、ｍ’、ｎ’は任意の自然数である。
【００２９】
また、制御基板１５と前面ケース２ａとの間には送風ファン１７が設けられる。送風ファン１７は背面ケース２ｂから立設するボスに防振ゴムを介して止められる。図９に示すように送風ファン１７は両面吸込み型のターボファンであり、ハウジング１７ｂの軸方向に開口する２つの吸気口１７a（一方は下面）は筐体２の厚さ方向に各々配される。ハウジング１７ｂは厚みの薄い概ね直方体形状であり、一側面に吹出口１７ｃが設けられ、他の三側面は蓋がされている。
【００３０】
また、前面ケース２ａの内側には送風ファン１７と吹出口７とを連結する仕切パネル２２（図１１参照）により覆われて空気通路８が形成される。仕切りパネルの開口部２２１ｂには図９の送風ファン１７が挿入される。この時に送風ファン１７の吹出口１７ｃが、送風ガイド２２１aの方向になるように配置される。仕切りパネル２２は概ねコの字形状の断面を有する壁体で、隔離室２２ｂの底壁と組み合わされて空気通路８を形成する。空気通路８内には、先に説明した気流ガイド２２１ｃが突出して設置され、送風ファン１７からの気流を吹出口７に導く。
【００３１】
このような構造において、本発明の携帯型送風装置１を運転すると、送風ファン１７は筐体２の吸込口６から吸い込んだ空気Ａ１を制御基板１５と送風ファン１７との隙間を通過する経路と、前面ケース２ａと送風ファン１７との間に形成される隙間２５を通過する経路の２つの経路を介して空気を供給する。送風に伴って一方の吸込み経路は、制御基板１５と隔離室２２ｃとを経由し、制御基板１５と隔離室２２ｃ底壁の各々を冷却するとともに間接的に電池１９を冷却する。また、他方の吸込み経路は、制御基板１５の側方を通過して前面ケースとの隙間２５に至り、制御基板１５を冷却する。
【００３２】
また送風ファン１７から送出された空気Ａ２は、空気通路８を流通するときに隔離室２２ｂの底壁を冷却するとともに間接的にイオン発生装置１８を冷却する。前述のように隔離室２２ｂの底壁には吹き出し気流を整流するための気流ガイド２２１ｃが空気通路８に向かって設けられている。気流ガイド２２１ｃは、隔離室２２ｂ底壁に立設された複数の板であり、隔離室２２ｂの表面積を拡大する働きを果たし、隔離室２２ｂの冷却を有意義に行わせる。
【００３３】
次に脚３の構成について説明をする。脚３はヒンジ機構により筐体２に回動自在に枢支される。脚３のヒンジ機構は図面では省略をしたが、ギヤ及びバネを備えている。ラッチ機構として形成されたギヤはコの字形状の脚３の解放されている左右両端部に一体に設けられ、背面ケース２ｂの両側面に設けた貫通穴にから左右各々内部に挿入配置されて回転自在に支持される。ギヤは脚３の解放されている左右両端の軸部分の全周囲に複数の歯が形成される。ギヤの隣接する歯と歯の間にシャフトが配される。バネは一方端をシャフトに、他方端を背面ケース２ｂに立設するボスに掛着され、シャフトをギヤに押しつける方向に付勢する付勢手段を構成する。
【００３４】
脚３の回動によりギヤが一体に回動し、バネの付勢力に抗してシャフトがギヤの歯先の方向に移動する。そして、歯間をシャフトが周方向に相対移動することで、脚３の開閉角度を規制することが出来、筐体２の脚収納部２ｆの形状と相まって脚３を開度１８０゜未満の適当な角度に配することができる。これにより、脚３を卓上の設置面上に置いた際に、筐体２の背面ケース２ｂが設置面に対向して傾斜する姿勢を保つことが可能である。
【００３５】
また、脚３を大きく開いて筐体２の背面を机上に向けた場合には、携帯型送風装置１の姿勢を低く保ち、３０°から４０°程度の仰角で気流を吹き出すことが出来る。また、さらに、脚３を狭く開いて吹出口７が低くなるように設置すると、気流を下向きに吹出すことが出来、ベッドのヘッドボード（ベッド頭部にある板）上に設置して就寝時の使用者に気流を送ることが出来る。
【００３６】
次に、吸込口６について説明する。吸込口６は図２、図４〜図６に示すように、背面ケース２の下端部に形成されている。背面ケース２ｂの下端部、および両側端部には、脚３を収納するための溝状に繋がる凹部形状の収納部２ｆが形成されている。これにより、脚３は、収納されたときに、背面ケース２ｂの外観を損なうことがないよう外壁面に沿うようになる。
【００３７】
また、背面ケース２ｂには、先に説明した隔離室２２ｂ、２２ｃに対向する部分に、該隔離室２２ｂ、２２ｃを露出しイオン発生装置１８、電池１９を交換できるように蓋２ｇが着脱可能に設けられている。背面ケース２ｂに蓋２ｇを取り付けた状態でも、収納部２ｆに収納された脚３の端面と蓋２ｇの下端面との間に隙間を形成し、脚３を収納部２ｆに収納しても（図５参照）、吸込口６を閉塞せず、気流Ａ１を常に確保するようにしている。さらに、該隙間は脚３の横幅一杯に渡って設けられ、脚３を開いた状態であっても閉じた状態であっても開口面積は変わらない
ここで、上記吸込口６は、背面ケース２ｂの下端部であって溝状の収納部２ｆの底部に連続して設けている。そのため、図６に示すように吸込口６は背面ケース２ｂの設置面に対して一段凹んだ部分に形成されることになる。そのため、図６に示すように蓋２ｇを設置面に載置しても、吸込口６を閉塞することがない。そのため、吸込口６の気流Ａ１は常に確保できる。このことによって、脚３の使用時も不使用時も送風ファン１７の送風性能が確保される。
【００３８】
このような構成において、図６を参照しながら動作状態を説明する。電源スイッチ５を［ＯＮ］にすると運転が開始される。送風ファン１７の動作によって、背面ケース２ｂに設けた吸込口６から筐体２の内部に空気Ａ１が送られる。送風ファン１７を通過して空気通路８に流通した空気は矢印Ａ２に示すように空気通路８内を流通し、イオン発生装置１８で発生したイオンが含まれる。そして、矢印Ａ３に示すように吹出口７から上方の使用者の頭部等に向けて正イオン及び負イオンを含む空気流が送出される。これにより、屋外や屋内で手軽に涼しさを得ることができるとともに、使用者の周囲の除菌や臭い除去を行うことができる。
【００３９】
さらに、本発明の携帯型送風装置１は筐体２の外部で背面ケース２ｂの上部にはネックストラップを取り付ける取付部２ｈが設けられ、ネックストラップを結び付けて携帯型送風装置１を使用者の首から吊り下げて携行することができる。ネックストラップを使用した状態では、携帯型送風装置１が使用者の胸から上腹部辺りに位置するようにネックストラップの長さが設定されている。自明ではあるが、この時の携帯型送風装置１は背面ケース２ｂが使用者の胸に接触して吹出口７をほぼ真上に向けた姿勢である。携帯型送風装置１を使用者の首から吊り下げて携行した状態や把持した状態で電源スイッチ５が入れられると、使用者と筐体２との隙間を介して外気が吸込口６に導かれる。そして、イオンを含む空気流が吹出口７から上方に向けて送出される。その模式図を図１２に示す。
【００４０】
本発明の携帯型送風装置１は筐体２の背面側（背面パネル２ｂ側）が使用者に接触するように考えられており、吹出口７が筐体２の厚さ方向の中心線よりも前面側（前面パネル２ａ側）に偏って形成されており、このような設置方法、使用方法が可能にされる。歩行時や着席時では人の胸の位置に比べて、人の顔の位置の方が少し前方になるため、吹出口７が筐体２の前方に偏って配置されていることが優位に働く。また、吹き出し気流方向を上方で且つ前方にするための吹出口の設置位置が、筐体２全体を大きな半径を有する曲面で形成することによって選択しやすくなる。これにより、筐体２の背面からみて吹出口中心部までの距離Ｌを吹出口７を筐体厚さ方向の中心線上に配置する時よりも長く採れ、気流の吹き出しが良好になる。従って、携帯型送風装置１の携行時においても涼しさを得ることができるとともに、正負イオンの働きにより使用者の周囲の除菌や臭い除去を行うことができる。
【００４１】
また、吹出口７には運転スイッチ５と連動して動作するシャッター７ａを設けて、異物が侵入しないように配慮した。携帯型送風装置１を首からかけて使用する時には、吹出口７が上を向いていることが予測される。そのために、使用者が飲食をしたりすると食べ物の破片や飲料がこぼれ落ちたりして、運悪く吹出口７内に落下することも考えられる。このような、不慮の出来事を未然に防ぐものである。
【００４２】
電源スイッチ５には裏面に背面ケース２ｂを貫通して突起が設けられており、この突起がシャッター７ａのアーム（不図示）を操作することによりシャッター７ａの位置が背面ケース２ｂ側に移動させられる。送風時にはシャッター７ａは背面ケース２ｂに設けられた隔離室２２ｂの前方に移動して、通風を妨げないようにする。
【００４３】
以上の実施形態において、イオン発生装置１８によってマイナスイオンのみを放出してもよい。これにより、使用者のリラクゼーション効果を得ることができる。
【産業上の利用可能性】
【００４４】
本発明によると、携帯可能な筐体内に送風ファンを備えた携帯型送風装置や携帯型芳香器等に利用することができる。
【符号の説明】
【００４５】
１    携帯型送風装置
２    筐体
２ａ  前面ケース
２ｂ  背面ケース
２ｃ  側面カバー
２ｇ  蓋
２２b、２２ｃ  隔離室
３    脚
４    表示部
５    電源スイッチ
６    吸込口
７    吹出口
８    空気通路
１７    送風ファン
１８    イオン発生装置
１９    電池
２２    仕切パネル
２５    隙間
【図１】
0005566347.tif 000002
【図２】
0005566347.tif 000003
【図３】
0005566347.tif 000004
【図４】
0005566347.tif 000005
【図５】
0005566347.tif 000006
【図６】
0005566347.tif 000007
【図７】
0005566347.tif 000008
【図８】
0005566347.tif 000009
【図９】
0005566347.tif 000010
【図１０】
0005566347.tif 000011
【図１１】
0005566347.tif 000012
【図１２】
0005566347.tif 000013